(57)【要約】      （修正有）【課題】模擬銃として現行品とほぼ同等の威力を維持しながら、年少者達にも比較的容易にコッキング操作を行えるようにしたコッキング負荷の軽減装置を提供する。【解決手段】ハンマー操作によるスプリングの蓄圧でコッキング状態となる圧縮エア生成装置を有し、トリガー操作によるコッキング状態の解除に伴いスプリングの蓄圧を解放し、圧縮エア生成装置を作動させ、生成された圧縮エアにより弾丸を発射させる模擬銃において、コッキング操作を開始する際にハンマー２６に掛かる負荷を軽減するために、大きさの異なる複数個のばね２１、２２を内外多重に組み合わせて、圧縮エア生成装置に用いるスプリング２０とし、コッキング操作を開始するときに複数個のばねの内の一部のみが作用するように構成する。【選択図】図４
0003184267.tif 000002
【実用新案登録請求の範囲】
【請求項１】
ハンマー操作によるスプリングの蓄圧でコッキング状態となる圧縮エア生成装置を有し、トリガー操作による上記コッキング状態の解除に伴いスプリングの蓄圧を解放し、圧縮エア生成装置を作動させ、生成された圧縮エアにより弾丸を発射させる模擬銃において、
コッキング操作を開始する際にハンマーに掛かる負荷を軽減するために、大きさの異なる複数個のばねを内外多重に組み合わせて、圧縮エア生成装置に用いるスプリングとし、
コッキング操作を開始するときに複数個のばねの内の一部のみが作用するようにした
模擬銃におけるコッキング負荷の軽減装置。
【請求項２】
複数個のばねはコイルばねから成り、その内、最大のばねは長さ及び巻径が最大で、その両端部の一方は圧縮エア生成装置の可動部に、他方は模擬銃側のばね受けに接しており、最小のばねは長さ及び巻径が最小で、その両端部の一方は自由端とされ、他方は模擬銃側のばね受けに固定されている
請求項１記載の模擬銃におけるコッキング負荷の軽減装置。
【考案の詳細な説明】
【技術分野】
【０００１】
本考案は、模擬銃におけるハンマー操作によるコッキングの際に、スプリングの蓄圧に伴うばねの負荷特性を軽減するための装置に関するものである。
【背景技術】
【０００２】
いわゆるエアガンに分類される模擬銃には、ハンマーを起す操作でピストンシリンダー装置のスプリングを蓄圧し、トリガーを引く操作で上記スプリングの蓄圧を解放し、それに伴って生成された圧縮エアにより弾丸を発射するタイプのものがある。しかし、従来のバネは一定の巻ピッチで構成された、ばね特性が線形のコイルばねであり、ハンマーを起すコッキング操作時の負荷は最初から最後までほぼ一定である。しかも、ハンマーを起す操作は親指１本で行うように設計されており、そのため、年少者が使用する場合、思うように操作できない場合がある。
【０００３】
模擬銃はその威力等によって、１０歳以上用或いは１８歳以上用等とカテゴリーが区分されている。スプリングを使用するエアガンは１０歳以上用のカテゴリーに主として適用されているが、前記の理由により、年少者達の力ではコッキングに両手が必要なケースもあり得る。両手操作自体さほどの問題ではないが、操作中に手が滑るなどを考慮すると、好ましくはない。より弱いスプリングを使用すれば操作性も改善されるが、模擬銃として魅力のないものとなってしまうので、現行品程度の威力は必要と考えられる。
【０００４】
以上の理由等から本件出願人はコッキング負荷の軽減が可能な模擬銃の開発に取掛り、その成果の一部について実用新案登録出願を行った。その考案は、ピストンシリンダー装置の作動部材に作用する、スプリングとして非線形ばねを用いており、初期特性が改善され、年少者達にも扱い易いものとなっている。しかし、コッキング操作を開始する際の負荷軽減のために、ピストンシリンダー装置の作動部材に作用するスプリングとして非線形ばねを製作する必要があり、特別のコストが掛かることや、コッキング負荷の切り替わるタイミング調整が難しいという非線形ばね特有の問題が残っていた。
【０００５】
【特許文献１】登録実用新案第３１７５９６９号
【考案の開示】
【考案が解決しようとする課題】
【０００６】
本考案は前記の実情に鑑みてなされたもので、その課題は、模擬銃として現行品とほぼ同等の威力を維持しながら、年少者達にも比較的容易にコッキング操作を行えるようにすることである。また、本考案の他の課題は、特別のコストが掛からず、また、コッキング負荷の切り替わるタイミング調整の面でも問題とはならない模擬銃におけるコッキング負荷の軽減装置を提供することである。
【課題を解決するための手段】
【０００７】
前記の課題を解決するため、本考案は、ハンマー操作によるスプリングの蓄圧でコッキング状態となる圧縮エア生成装置を有し、トリガー操作による上記コッキング状態の解除に伴いスプリングの蓄圧を解放し、圧縮エア生成装置を作動させ、生成された圧縮エアにより弾丸を発射させる模擬銃において、コッキング操作を開始する際にハンマーに掛かる負荷を軽減するために、大きさの異なる複数個のばねを内外多重に組み合わせて、圧縮エア生成装置に用いるスプリングとし、コッキング操作を開始するときに複数個のばねの内の一部のみが作用するように構成するという手段を講じたものである。
【０００８】
本考案の模擬銃は、ハンマー操作によるスプリングの蓄圧でコッキング状態となる圧縮エア生成装置と、上記コッキング状態の解除に伴いスプリングの蓄圧を解放し、圧縮エア生成装置を作動させるためのトリガーを有する。この基本的構成は、現行品のエアガンに共通のもので良い。圧縮エア生成装置にはピストンシリンダー装置が用いられ、そのピストンを作動させるスプリングを蓄圧し、トリガーを引いて蓄圧を解放することで圧縮エアを生成し、上記圧縮エアにより弾丸を発射させる構成を有するものである。
【０００９】
その構成において、本考案のものは、コッキング操作を開始する際にハンマーに掛かる負荷を軽減するために、大きさの異なる複数個のばねを内外多重に組み合わせて、圧縮エア生成装置に用いるスプリングとする。内外多重に組み合せるとは、複数個のばねが内側と外側に配置が重なるということである。例えば、コイルスプリングを使用する例では大小複数個のばねが入れ子構造を取るように組み合わされる。
【００１０】
従って、コイルばねから成る場合、複数個のばねの内、最大のばねは長さ及び巻径が最大で、その両端部の一方は圧縮エア生成装置の可動部に、他方は模擬銃側のばね受けに接して配置される。また、最小のばねは長さ及び巻径が最小で、その両端部の一方は自由端とされ、他方は模擬銃側のばね受けに固定されているという構成を取ることが望ましい。３個以上のコイルばねから成る場合には、最大のばね以外のばねは全て他方の端部にて模擬銃側のばね受けに固定される。
【００１１】
本考案の装置では、複数個のばねとして長さと強さ（バネ定数）の異なるコイルばねを使用することが望ましい。このような構成により、コッキング操作を開始するときに複数個のばねの内の一部のみが作用するようになる。その結果、コッキング操作を開始するときに必要な操作力を低減し、最後までスムーズに操作を完了することができるように構成される。
【００１２】
なお、ばね力が一定である以上、本考案の装置によってコッキング負荷の総量が変化することはない。しかし、ばねの圧縮に必要な力を、コッキング開始時には小さく（負荷の軽減）、その後ストロークの増加と共に大きくするというようにばねの負荷特性を変えることで、操作性を改良し、あたかも操作感が軽くなったかのように変化させることを特徴とするものである。さらに、小さい方のコイルばねの長さの調整によって、コッキング負荷の切り替わる位置を容易に変更することができる。
【考案の効果】
【００１３】
本考案は以上のように構成され、かつ、作用するので、ばねの圧縮に必要な力を引き出すことができ、模擬銃として現行品程度の威力を維持しながら、年少者でも比較的容易にコッキング操作を行えるようにするという効果を奏する。また、本考案によれば、コストが掛からず、また、コッキング負荷の切り替わるタイミング調整の面でも問題とはならない模擬銃におけるコッキング負荷の軽減装置を提供することができる。
【考案を実施するための最良の形態】
【００１４】
以下、図示の実施形態を参照して本考案をより詳細に説明する。図１は本考案に係るコッキング負荷の軽減装置を適用した模擬銃１０の一例を示しており、モデルはリボルバー型の拳銃である。図において、符号１１はバレル、１２は貫通路から成る数個の装填部を同心円状に有する回転弾倉、１３は上記装填部に装填したカートリッジを示す。弾丸Ｂはカートリッジ１３の装填部に装填された状態で発射まで定位置に保持され、カートリッジ後端のエア噴出口１４から噴出する圧縮エアにより銃口から発射される。
【００１５】
上記エア噴出口１４の後側にはノズル１５が配置されており、ノズル１５はパイプから成るエア流路１６により圧縮エア生成装置１７であるピストンシリンダー装置と接続されている。圧縮エア生成装置１７は銃本体グリップ部の内部に配置されたシリンダー１８とピストン１９とから成る。この実施形態では、シリンダー１８を銃本体側に固定し、ピストン１９をシリンダー１８に対して可動の作動部材としている。
【００１６】
本考案に係るコッキング負荷の軽減装置では、圧縮エア生成装置１７の作動部材に作用するスプリング２０として、複数個のばねを内外多重に組み合わせて使用する。図示の実施形態において、上記スプリング２０は大小２個のコイルばね２１、２２から成り、それらを内外多重に組み合わせている。これら大小２個のコイルばね２１、２２から成るスプリング２０は、ピストン１９の下部に配置されている。
【００１７】
本考案の実施形態におけるスプリング２０は、図２及び図３に詳細に示されている。これらの大小２個のコイルばね２１、２２の内、相対的に大きい方のコイルばね２１は長さＬ及び巻径Ｄ共に大きく、小さい方のコイルばね２２は長さｌ及び巻径ｄ共に小さく設定されている。上記長さはＬ≫ｌであり、巻径はＤ≫ｄの関係にある（なお、≫は十分に大であることを示す。）。よって、大小２個のコイルばね２１、２２は互いに触れ合うことなく伸縮するものである。
【００１８】
大きいばね２１は、その両端部の一方２１ａにて圧縮エア生成装置１７のピストン１９に接し、他方２１ｂは模擬銃側のシリンダー１８の内底部をばね受け２３としており、圧縮エア生成装置１７のピストン１９の内部に配置されている。なお、大きい方のコイルばね２１は、ピストン１９を最終段階まで圧縮するのに必要なばね強さを有している。小さい方のコイルばね２２は、その両端部の一方２２ａが自由端とされ、他方２２ｂはシリンダー１８の内底部に設けられたばね受け２４に固定されている。上記ばね受け２４はシリンダー内底部から突出し、小さい方のコイルばね２２はそれと嵌合している。
【００１９】
この実施形態におけるスプリング２０は、上記のように、大小２個のコイルばね２１、２２を内外二重に組み合せて、圧縮時におけるばねの負荷特性を変化させたものである。故に、大小２個のコイルばね２１、２２から成るスプリング２０の負荷特性は、初期において緩やかに立ち上がる特性と、途中において加わる別の特性が組み合わされており、そのばね特性線図は、初期から最大の負荷で急に立ち上がる特性を取らず、最終的に目的とする荷重に達するものとなることで操作感の改良に寄与する。
【００２０】
本考案における銃本体は、リボルバー型の拳銃に見られるトリガー２５とハンマー２６を有する発射機構を具備している。トリガー２５は銃本体に支軸２５ａにて軸支されるとともに、送り爪２７と送り止めから成る機構により回転弾倉１２を回転させるように構成されている。また、ハンマー２６は支軸２６ａにて銃本体に軸支されており、操作用の指当て部２８、係止部２９を有している。上記係止部２９には、トリガー２５によって操作されるストッパー３０が係止する。
【００２１】
各図において、３１は連結部を示しており、ハンマー２６の後部にあって、前述したピストン１９の側の突片１９ａと連結部材３２により連結されている。なお、突片１９ａはシリンダー１９の側面縦方向に形成されたスリット１８ａにて縦方向に移動可能である。また、トリガー２５、ハンマー２６、送り爪２７、ストッパー３０などには、図示していないが、夫々戻しばねが取り付けられており、定位置に向けて付勢されている。
【００２２】
このような構成を有する本考案の装置による作用を説明する。図４の状態では、図１と同様に弾倉内のカートリッジ１３に弾丸Ｂが装填されており、この状態から指当て部２８に親指を当て、ハンマー２６を起して係止部２９をストッパー３０に係止させる。それに伴って、ハンマー２６と連動するピストンシリンダー装置１７のスプリング２０が蓄圧され、発射準備を完了したいわゆるコッキング状態となる（図５）。
【００２３】
上記のハンマー２６を起す操作において、指当て部２８に加えた力は連結部材３２を介してピストン１９に作用し、これをスプリング２０の付勢力に抗して弾圧する。操作力を受けたとき、内外二重のコイルばね２１、２２から成るスプリング２０は、大きい方のコイルばね２１から圧縮されるので、スプリング２０全体よりも弱い力で圧縮が開始されることになる。よって、ハンマー２６を動かす初期の負荷が軽減されて操作が容易になり、操作に勢いを付けることができるようになり、その後途中で小さい方のコイルばね２２が圧縮され、負荷が増大するが、負荷の変化を容易に乗り越えられるので、係止部２９をストッパー３０に係止させることができる。
【００２４】
コッキングを完了した後は、トリガー２５を引くとストッパー３０の係止が解除され、スプリング２０の蓄圧が解放される。その結果、大小２個のコイルばね２１、２２の合力が作用し、ピストン１９が瞬時に作動して圧縮エアが生成され、ノズル１５からそれと気密に接続されているカートリッジ１３の内部に噴射されるので、その前方にて保持されている弾丸Ｂを銃口から発射することができる。なお、弾丸Ｂの保持は、カートリッジ内部の後方にて行う方式もある。
【００２５】
上記のように、本考案によればコッキング操作の特に初期の負荷（操作力）が軽減されるので、手が小さく、力を込めにくい年少者でも、ハンマー２６によるコッキング操作をより容易に行なうことができるようになる。故に、本考案の装置では、スプリング２０として、従来の線形ばねと同じばね強さをもち、かつ、寸法もほぼ同等のもので良いので、現行品の構造を大きく変更する必要がない。しかも、小さい方のコイルばねの長さの調整によって、コッキング負荷の切り替わる位置を容易に変更することができるので、切替えタイミングの調整を著しく容易に行なえるようになる。
【図面の簡単な説明】
【００２６】
【図１】本考案に係るコッキング負荷の軽減装置を適用した模擬銃の一例を示す側面説明図である。
【図２】同上の装置に用いる複数個のばねから成るスプリングの一例を示す正面図である。
【図３】同上の複数個のばねを内外多重に組み合わせた状態を示す斜視図である。
【図４】同上の装置の作用を示すもので、発射操作前の状態の部分側面図である。
【図５】同じく発射操作を完了したコッキング状態を示す部分側面図である。
【符号の説明】
【００２７】
１０  模擬銃
１１  バレル
１２  弾倉
１３  カートリッジ
１４  エア噴出口
１５  ノズル
１６  エア流路
１７  ピストンシリンダー装置
１８  シリンダー
１９  ピストン
２０  スプリング
２１  大きいコイルばね
２２  小さいコイルばね
２３、２４  ばね受け
２５  トリガー
２６  ハンマー
２７  送り爪
２８  指当て部
２９  係止部
３０  ストッパー
３１  連結部
３２  連結部材
【図１】
0003184267.tif 000003
【図２】
0003184267.tif 000004
【図３】
0003184267.tif 000005
【図４】
0003184267.tif 000006
【図５】
0003184267.tif 000007